(57)【要約】  クラッドアブソーバユニットは、高パワーファイバレーザシステムのパッシブファイバ上に提供され、パッシブファイバのクラッドに沿って伝搬する高次モードを捕捉して除去するように動作する。モードアブソーバは、パッシブファイバのシースに形成された開口に置かれる、１つまたは複数の液体金属およびそれらの合金から作られた組成物を有する。組成物は、アブソーバが損傷を受けることもあるしきい温度よりも低い温度に組成物を加熱する所定の光パワーを有するＭＭ光をクラッドから除去するように構成される。【特許請求の範囲】
【請求項１】
コア、前記コアを取り囲みかつ望ましくない多モード（「ＭＭ」）クラッド光を支持する能力があるクラッド、および前記クラッド上に被覆された高分子シース、を設けられたパッシブファイバであって、前記シースが、前記クラッドの面で終わる開口を画定する不連続面を有する、パッシブファイバと、
前記開口内の前記クラッドの露出した部分を覆い、液体金属および液体金属合金ならびにそれらの組み合わせから成る群から選択される組成物を有するアブソーバであって、前記組成物が、前記アブソーバが損傷を受けるしきい温度よりも低い温度に前記組成物を加熱する最適光パワーを有する前記ＭＭ光を除去するように構成される、アブソーバと
を含む、クラッドモードアブソーバ（「ＣＭＡ」）ユニット。
【請求項２】
前記アブソーバは、ガリウム、インジウム、およびそれらの合金から成る材料から作られ、前記ＭＭ光は、ｋＷレベルに達するパワーを有する、請求項１に記載のＣＭＡユニット。
【請求項３】
前記アブソーバは、Ｇａ（ガリウム）、Ｉｎ（インジウム）およびＳｎの組成物を含むＧａｌｉｓｔａｎ＠合金から構成され、Ｇａ、ＩｎおよびＳｎのそれぞれの質量分率は、所定の光パワーを除去するように制御可能に変えられる、請求項１に記載のＣＭＡユニット。
【請求項４】
互いに取り外し可能に結合される第１および第２の部分を備えて構成されるヒートシンクをさらに含み、前記第１の部分は、前記アブソーバを備えた前記パッシブファイバのある長さを受け入れる溝を備えて構成され、前記アブソーバは、前記ヒートシンク内に包み込まれる、請求項１に記載のＣＭＡユニット。
【請求項５】
前記ヒートシンクは、金属基部および前記金属基部に結合される上部を有し、前記上部は、１つまたは複数の可鍛性金属およびシリコーンゲルから成る群から選択される、請求項４に記載のＣＭＡユニット。
【請求項６】
前記クラッドの前記露出した部分は、前記クラッドへの前記アブソーバの接着性を改善するようにテクスチャ加工される、請求項１に記載のＣＭＡユニット。
【請求項７】
前記アブソーバは、前記クラッドの熱膨張係数に実質的に整合するように選択される熱膨張係数を備えて構成される、請求項１に記載のＣＭＡユニット。
【請求項８】
前記パッシブファイバは、前記クラッドに取り囲まれ、１ｋＷ以上に達するパワーを持つＳＭ光を誘導するように構成されるコアを含む、請求項７に記載のＣＭＡユニット。
【請求項９】
前記コアおよびクラッドはそれぞれ、均一な直径を持つ入力端部領域、前記端部領域の直径よりも大きい均一な直径を持つ中央領域ならびに前記端部領域と前記中央領域とを橋渡しする円錐台形移行領域を含むボトルネック形状の横断面を有し、前記アブソーバは、前記中央領域の少なくとも一部分の上に延びる、請求項８に記載のＣＭＡユニット。
【請求項１０】
前記コアおよびクラッドはそれぞれ、均一な直径を持つ間隔の空いた入力端部領域、前記端部領域の直径よりも大きい均一な直径を持つ中央領域ならびに前記中央領域の両端部とそれぞれの端部領域とを橋渡しする円錐台形領域を含む二重ボトルネック形状の横断面を有し、前記アブソーバは、前記中央領域の少なくとも一部分の上に延びる、請求項８に記載のＣＭＡユニット。
【請求項１１】
前記コアおよびクラッドはそれぞれ、均一な直径を持つ間隔の空いた入力端部領域、前記端部領域の直径よりも大きい均一な直径を持つ中央領域ならびに前記中央領域の両端部とそれぞれの端部領域とを橋渡しする円錐台形領域を含む二重ボトルネック形状の横断面を有し、移行領域の片方は、もう一方の移行領域よりも長く、前記アブソーバは、前記中央および最長円錐台形領域それぞれの一部分に重なる、請求項８に記載のＣＭＡユニット。
【請求項１２】
前記パッシブファイバはさらに、高分子化合物から作られ、前記金属アブソーバから間隔を空けられる少なくとも１つの追加のアブソーバを設けられる、請求項１に記載のＣＭＡユニット。
【請求項１３】
パッシブファイバのクラッドからＭＭクラッド光を除去するように構成されるクラッドモードアブソーバを製造する方法であって、前記クラッドは、コアと保護高分子シースとの間に挟まれ、前記方法は、
前記クラッドの所定の長さを露出させるように前記クラッドの所望の位置から前記シースのある長さを除去し、それによって前記シース中に開口を形成するステップと、
液体金属もしくは液体金属合金またはそれらの組み合わせを含む組成物で前記開口を充填し、それによって前記アブソーバが損傷を受ける臨界温度よりも低い所望の温度に前記組成物を加熱する所定の光エネルギーを有する前記ＭＭ光の最適量を除去するように前記クラッドの前記長さを覆うステップと
を含む、方法。
【請求項１４】
前記アブソーバは、ガリウム、インジウム、およびそれらの合金から成り、前記クラッドの熱膨張係数に実質的に整合する熱膨張係数を有する材料から作られる、請求項１３に記載の方法。
【請求項１５】
前記アブソーバは、約６８％Ｇａ（ガリウム）、約２１．５％Ｉｎ（インジウム）および約１０％Ｓｎの組成物を含むＧａｌｉｎｓｔａｎ＠合金から構成され、前記組成物は、約−１９°の凝固点を有する、請求項１３に記載の方法。
【請求項１６】
可鍛性金属から作られた第１の筐体半分に溝を設けるステップと、
前記溝を前記モードアブソーバで充填するステップと、
前記開口を含む前記パッシブファイバのある長さを前記モードアブソーバ中に置き、それによって前記クラッドの前記露出した長さを覆うステップと、
可鍛性金属から作られた第２の筐体半分を前記第１の筐体半分に取り外し可能に結合し、それによって前記アブソーバを備えた前記パッシブファイバの前記長さを密封して包み込むステップと
をさらに含む、請求項１３に記載の方法。
【請求項１７】
前記長さの両端部を前記第１の筐体半分に高分子化合物で接着するステップをさらに含む、請求項１６に記載の方法。
【請求項１８】
前記モードアブソーバの適用の前に前記露出したクラッドの表面をテクスチャ加工するステップをさらに含む、請求項１３に記載の方法。
【請求項１９】
前記パッシブファイバは、ボトルネック形状の横断面または二重ボトルネック形状の横断面を有する構成を有する、請求項１３に記載の方法。
【請求項２０】
光路に沿って間隔を空けられ、アクティブファイバをそれぞれ有する複数の利得ブロックと、
多モードポンプ光を放出して前記アクティブファイバに結合するように動作する少なくとも１つのポンプユニットであって、前記ＭＭポンプ光の一部分が、前記アクティブファイバのコアで吸収されない、少なくとも１つのポンプユニットと、
前記それぞれのアクティブファイバに光学的に結合され、コアと高分子シースとの間に挟まれたクラッドをそれぞれ有する複数のパッシブファイバであって、少なくとも１つのパッシブファイバの前記高分子シースが、前記クラッドの所定の長さを露出させる開口を画定する不連続面を有する、複数のパッシブファイバと、
前記開口中に提供され、液体金属もしくは液体金属合金またはそれらの組み合わせから選択される組成物を有するクラッドモードアブソーバであって、前記組成物が、前記アブソーバが損傷を受けるしきい温度よりも低い温度に前記所定の長さに沿って前記組成物を加熱する所定の光パワーを有する吸収されない光の少なくとも一部分を除去するように構成される、クラッドモードアブソーバと
を含む、高パワーファイバレーザシステム。
【発明の詳細な説明】
【技術分野】
【０００１】
本開示は、高パワーファイバレーザシステムに関する。特に、本開示は、パッシブファイバでの望ましくないクラッド誘導光を捕捉して除去するように動作するクラッドモードストリッパ／アブソーバに関する。
【背景技術】
【０００２】
高パワー単一モードファイバレーザシステム（「ＨＰＳＭＦＬＳ」）は典型的には、多モード（ＭＭ）ポンプ光によって側面励起かまたは端面励起されるアクティブ二重クラッドファイバをそれぞれ含む１つまたは複数の増幅カスケードを備えて構成される。導光導波路クラッドに沿って伝搬するポンプ光は、しばしばアクティブファイバの長さに沿って完全に吸収されず、最終的にＳＭパッシブファイバのクラッドに結合される。加えて、接合部におけるパワー損失はまた、高分子保護シースの下の導波クラッド中を伝搬する多モード光にも関与している。その上、レーザ処理すべき表面からの後方反射光がまた、クラッドに結合されることもある。１０〜１２ｄＢの間で変化する適度なポンプ光吸収速度においてさえ、クラッド誘導光は、最終増幅段で容易に３００〜６００Ｗに達する可能性がある。クラッド誘導光は、次の理由により望ましくない。
【０００３】
典型的には、ＨＰＳＭＦＬＳのＳＭパッシブファイバは、クラッド領域の屈折率よりも低い屈折率を有する柔軟な高分子保護シースによって取り囲まれる。ファイバ屈曲部または接合された接続部において、クラッド領域の全反射は、妨害されて、保護シースへのクラッド誘導光の漏れにつながることもある。結果として、保護シースは、過熱されて破壊されることもある。さらに、クラッド中を運ばれるＭＭ放射は、典型的には２つの利得ブロック間に結合されるパッシブＳＭ伝送ファイバまたはＳＭパッシブファイバであるファイバの端部領域に損傷を与えることもあり、その利得ブロックの１つは、例えば、信号伝搬と反対の方向に励起される。最後に、もしクラッド誘導ＭＭ放射が、伝送ファイバの端部に達するならば、送信される光信号のビーム品質は、悪化することもあり、そのことが、他の光学部品および処理品質に悪影響を及ぼす可能性がある。
【０００４】
クラッド光を除去し、その光エネルギーを熱エネルギーに変換するように構成されるデバイスは、クラッドモードアブソーバ（「ＣＭＡ」）として周知である。典型的には、ＣＭＡは、クラッドを覆う保護シースからはがし取られたファイバの長さに沿って提供され、クラッドの屈折率よりも高い屈折率を持つ導光高分子化合物として構成される。高分子化合物アブソーバは典型的には、約１００から約４００Ｗに至るまでのパワーを持つクラッド光を切り離すことを可能にする。
【０００５】
周知のＣＭＡの構造的制限のいくつかは、ファイバおよびＣＭＡの不均一な熱依存性膨張／収縮によって引き起こされる機械的応力に対する低い抵抗力を含む。典型的には、機械的応力は、単一モード（「ＳＭ」）大モード面積（「ＬＭＡ」）ファイバでの微小屈曲損失および高次モード（「ＨＯＭ」）の励起につながる。
【０００６】
なおさらなる制限は、高分子化合物の比較的低い熱伝導率と関連し、それの高い温度につながる。１１０℃の温度は一般に、臨界的と考えられ、より高い温度は、ＣＭＡの破壊につながる。この臨界温度は、ファイバレーザシステムにエネルギーを与えるときに起こる急激な温度変化の間はさらに低い可能性がある。
【先行技術文献】
【特許文献】
【０００７】
【特許文献１】米国特許出願第１２／５５９，２８４号
【特許文献２】米国特許出願第１２／６３０，５４５号
【発明の概要】
【発明が解決しようとする課題】
【０００８】
したがって、高温および機械的応力に抵抗力のある構造を特徴とするＣＭＡを備えて構成されるＨＰＳＭＦＬＳの必要性が存在する。
【０００９】
改善されたＣＭＡを製造する方法のさらなる必要性が存在する。
【課題を解決するための手段】
【００１０】
これらの必要性は、高温に耐えながら光を吸収し、応力抵抗性構造を提供するように構成される、開示される金属光クラッドエネルギーアブソーバ（「ＭＬＣＡ」）によって満たされる。
【００１１】
本開示の一態様は、周知の高分子化合物に基づくアブソーバと対照的に、保護被覆物のはぎ取られた領域に沿って提供される液体金属およびそれらの合金の充填物を含むＭＬＣＡに関する。充填物は、光を吸収し、低溶融温度、高熱伝導率、所望の密度および露出したクラッド（石英）への良好な接着性を有するように選択される。以下で論じることになるように、開示されるアブソーバは、周知のシリコンに基づくアブソーバよりもかなり高い入力パワーに耐えることができる。
【００１２】
本開示のさらなる態様は、開示されるＭＬＣＡの応力抵抗性を改善することに関する。特に、アブソーバを備えたファイバはさらに、充填物を取り囲み、それに接着されるスリーブとして構成されるヒートシンク中に置かれる。高い熱伝導特性に起因して、アブソーバは、石英と金属ヒートシンクとの間の効果的な熱排出媒体として動作する。
【図面の簡単な説明】
【００１３】
【図１】開示される金属光クラッドアブソーバ（「ＭＬＣＡ」）を設けられた高パワー単一モードファイバレーザシステム（「ＨＰＳＭＦＬＳ」）の概略図である。
【図１Ａ】開示される金属アブソーバが、例示されるシステムの構成要素間に結合されるパッシブファイバ上に提供された状態の主発振器／パワー増幅器構成（「ＭＯＰＡ」）を含むＨＰＳＭＦＬＳの概略図である。
【図２】開示されるＭＬＣＥＣを設けられたＳＭパッシブ出力ファイバの概略図である。
【図３】開示されるＭＬＣＥＣを設けられた変更ＳＭ出力ファイバの概略図である。
【図４】ヒートシンクに取り付けられた開示されるＭＬＣＡの分解図である。
【図５】放散されるパワーからのＭＬＣＥＣのスリーブの最大温度の依存を例示するグラフである。
【発明を実施するための形態】
【００１４】
開示されるエネルギーアブソーバ、そのアブソーバを組み込む高パワーファイバレーザシステムおよびアブソーバを製造するための方法について、今から詳細に言及されることになる。可能な限り、同じまたは同様の参照数字が、同じもしくは同様の部分またはステップを参照するために図面および説明で使用される。図面は、単純化された形であり、正確なスケールからは程遠い。便利さおよび明瞭さだけのために、方向を示す用語が、描画用紙の平面に関して使用されてもよく、範囲を制限すると解釈されなくてもよい。具体的に述べられない限り、明細書および請求項での単語および語句は、ファイバレーザ技術分野での当業者に普通の慣習的意味を与えることを目的としている。
【００１５】
図１は、典型的な利得ブロック１０の概略図を例示し、それは、単独であるかまたは同様に構成された利得ブロックと組み合わせてｋＷレベルに達する実質的にＳＭの出力ビームを放出するように動作する。出力ビームは次いで、伝送単一モード（「ＳＭ」）パッシブファイバ１８によって目的地点に伝送される。パッシブファイバ１８は、液体金属、すなわち低温溶融点を持つ金属、または液体金属およびそれらの合金の組み合わせから作られたクラッドモードアブソーバ２０を設けられている。それ故に、アブソーバ２０は、ファイバ１８のクラッドに沿って誘導される不要なモードを捕捉して吸収するように動作する。
【００１６】
図１Ａは、２つの利得ブロック、すなわちＭＯＰＡの構成要素を例示し、当業者に周知のようなＭＯＰＡは、主発振器ＭＯおよびパワー増幅器ＰＡを含む。この概略図では、アブソーバ２０は、伝送ファイバに加えてまたは伝送ファイバの代わりに、図示するように、ＭＯおよびＰＡを光学的に結合するパッシブファイバ２１上に提供されてもよい。ファイバ２１は、例えば光信号の前方伝搬方向と反対の方向でＰＡに結合されるポンプ１５からの吸収されないポンプ信号を受け取ってもよい。
【００１７】
利得ブロック１０、例えばパワー増幅器ＰＡは、アクティブファイバ１２、すなわちイッテルビウム、エルビウム、ツリウムおよびその他などの、１つまたは複数の希土類元素のイオンをドープされたファイバ、ならびに単一ＳＭ入力および出力パッシブファイバ１４、１６をそれぞれ含む。アクティブファイバ１２は、１つまたは複数のクラッドおよび多モードコアを備えて構成され、多モードコアは、もし望むならば、所望の波長での基本モードを実質的に支持するように構成される。ポンプユニット１５によって放出される、多モード（「ＭＭ」）ポンプ光は、導波路クラッドに結合され、それに沿って伝搬するにつれて、コアによって徐々に吸収される。すべてのポンプ光が、吸収されるとは限らず、そのいくらかは、クラッド中にとどまる。吸収されないポンプ光および他の異なる起源の不要なモードは、パッシブ出力ファイバ１６のクラッドを通ってさらに誘導され、伝送ファイバ２１のクラッドに沿ってさらに伝搬する。クラッド光の存在は、前に論じた様々な理由により極めて望ましくなく、最小限にされ、望ましくは完全に除去されるべきである。上記では単一モードシステムおよびファイバを論じるが、開示されるアブソーバは、多モードファイバと併せて使用されてもよいことに留意されたい。
【００１８】
図２を参照すると、ファイバ１８または２１は、コア２２およびクラッド２４の他に、クラッドの屈折率よりも低い屈折率を持つ高分子保護膜（はぎ取られ、それ故に図示されない）をさらに備えて構成される。クラッド伝搬モードを吸収するための条件を創出するために、膜は、ファイバ１８、２１の所望の軸方向領域に沿ってはぎ取られて、液体ベースの金属および／またはその合金３０でできたアブソーバ２０に浸されてもよいクラッド２４のある長さ（ｓｔｒｅｔｃｈ）を露出させる。金属は、高分子化合物と対照的に、優れた反射特性を有する。金属被覆物と石英との間の境界に沿って伝搬するクラッド光および特にそれらのモードは、金属被覆物に周期的に衝突する。金属３０に入射する光の大部分は、吸収され、残りは、その伝搬を続け、最終的に大きく低減されるまたは完全に除去される。金属アブソーバ２０は、高い機械的応力、より高い温度に耐えることができ、吸収は、なお制限されるが、伝統的な高分子加工物でよりもよく分配される。全ファイバシステムの周知のパラメータおよび所望の位置に基づいてアブソーバ２０の最適組成を選択することで、アブソーバ２０およびシステムの他の光学部品に損傷を与えることが周知のしきい温度よりも低い温度にその組成物を加熱することができる最大可能光パワーを持つクラッド光が、除去される。
【００１９】
液体金属を石英に単に塗布して接着させることは、可能であるが、表面応力はなお、石英への液体金属の不完全な接着のためにかなりある。それ故に、石英の表面は、滑らかではなく、石英／クラッドと金属アブソーバとの間の接合を改善する微視的形成物を有するようにテクスチャ加工される。また、金属アブソーバは、シリコンの熱膨張係数に近い熱膨張係数を有するようにも選択され、そのことはまた、機械的応力も低減する。
【００２０】
液体金属およびそれらのそれぞれの合金は、室温または室温近傍では液相で存在し、とりわけガリウム（「Ｇａ」）およびＧａｌｉｎｓｔａｎなどのその合金を含んでもよい。Ｇａｌｉｎｓｔａｎは、６８％Ｇａ（ガリウム）、２１．５％Ｉｎ（インジウム）および１０％Ｓｎ（スズ）の組成物であり、約−１９°の凝固点を有し、その凝固点の後この材料は、膨張する傾向がある。Ｇａｌｉｎｓｔａｎは、他の液体金属および合金と同様に、高分子化合物よりも優れた高度な熱伝導性を有し、それ故に優れた熱伝導および熱放散特性を有する。試験は、この合金でできたエネルギーアブソーバが、６００ワットよりも高いクラッド誘導光の光パワーを安全に放散させることができることを示す。合金の組成は、１ｋＷレベルに達するより高いパワーに耐えるように変更されてもよい。特に、合金成分の質量分率は、合金に損傷を与えることが周知のしきい温度よりも低い温度に合金を加熱する最大可能光パワーを持つＭＭ光が、クラッドから除去されるように、制御可能に調節される。
【００２１】
図３を参照すると、クラッド誘導ＭＭ光の高パワー密度を低減し、アブソーバ２０への熱負荷をいくらか緩和するために、好ましくは、パッシブファイバ１８、２１は、二重ボトルネック形状の横断面を有してもよく、それはまた、ツインボトル（「ＴＢ」）ファイバとも呼ばれる。ＴＢの幾何学的形状は、本出願と同一出願人による、参照により本明細書に完全に組み込まれる同時係属の米国特許出願第１２／５５９，２８４号および米国特許出願第１２／６３０，５４５号で詳細に開示される。それ故に、ＴＢファイバ１８または２１の構成は、間隔を空けられた比較的均一な小径端部領域２８、比較的均一な大径中央領域３４およびそれぞれの端部領域と中央領域との間の移行領域３２を含み、それらは、誘導光の断熱膨張を可能にする。前述の考察に基づいて、アブソーバ２０は好ましくは、しかし必ずしもではなく、パワー密度が比較的低い中央領域３４に沿って提供される。アブソーバ２０の直径は、高分子シースまたは膜３１の外径と同じまたはそれよりも大きくてもよい。ＴＢファイバ１８、２１はさらに、アブソーバ２０から下流に位置する高分子化合物でできた別のアブソーバ３６を有してもよい。ファイバ１８の中央領域３４は、約３００ミクロンの直径を備えて構成されてもよい。
【００２２】
図４を参照すると、高光パワーは、銅、銅とのウォルフラム合金ならびに良好な熱伝導率およびファイバ応力を防止する最小熱膨張を備えて構成される他のものなどの延性材料から作られたヒートシンクを必要とすることもある。好ましい筐体材料は、金属合金と反応しない。ヒートシンクは、締結具４２によって互いに取り外し可能に結合される第１の部分３８および第２の部分４０を含み、そのうちの１つだけが、図示され、ヒートシンクは、パッシブファイバ１８、２１のある長さを包み込むように構成される。パッシブファイバ１８、２１のその長さは、アブソーバ２０で充填されかつ部分３８に提供される溝４４の中に置かれる。溝４４内のファイバの長さの両端部は、シリコーンゲルなどの接着剤によって部分３８に結合される。接着剤はまた、その構造物を密封した状態にするために、アブソーバ２０および溝４４の中にまた位置してもよいファイバ１８に提供された任意の他のストリッパにも塗布される。ユニット全体を覆う筐体部分４０の過熱を防止し、ユニットの気密性をさらに改善さえするために、例えばＡｌから作られてもよい箔４６が、ファイバのその長さと部分４０との間に詰め込まれる。別法として、シリコーンゲル、ＵＶ接着剤またはエポキシ樹脂が、部分４０を使用することなくアブソーバ２０を完全に覆ってもよい。これらの材料は、柔軟であり、金属の熱膨張を効果的に補償する。
【００２３】
図５は、放散されるパワーからの、開示されるアブソーバを備えたファイバ１８の長さを包み込むヒートシンクまたは筐体の温度を例示する。８００Ｗに達するパワーについてさえ、アブソーバは、その構造的完全性を保つ。
【００２４】
開示されるアブソーバは、高パワーファイバレーザシステムとの関連で特に有利である。上記ではほとんど、前方伝搬光のアブソーバ２０の除去能力に言及したが、アブソーバ２０はまた、後方反射光のフィルタとしての役割も果たす。また、上で開示される構成は、ＳＭシステムとの関連で説明されるが、開示されるアブソーバは、ＭＭシステムで同様に効果的に使用されてもよい。例えば、アブソーバは、後方反射を最小限にするようにＭＭ伝送ファイバ上に提供されてもよい。さらに、開示される構成は、連続波およびパルスレーザの両方の構成で使用されてもよい。
【００２５】
開示される構造の様々な変形が、その趣旨および本質的特徴から逸脱することなくなされてもよい。それ故に、上記の説明に含まれるすべての事柄は、例示的なだけと解釈されるべきであり、限定する意味では、本開示の範囲は、添付の特許請求の範囲によって規定されるものとする。
【符号の説明】
【００２６】
１０  利得ブロック
１２  アクティブファイバ
１４  入力パッシブファイバ
１５  ポンプ、ポンプユニット
１６  出力パッシブファイバ
１８  パッシブファイバ
２０  アブソーバ
２１  パッシブファイバ、伝送ファイバ
２２  コア
２４  クラッド
２８  端部領域
３０  液体金属および／またはその合金、金属
３１  高分子シースまたは膜
３２  移行領域
３４  中央領域
３６  アブソーバ
３８  ヒートシンクの第１の部分
４０  ヒートシンクの第２の部分、筐体部分
４２  締結具
４４  溝
４６  箔
【図１】
2015505162.tif 000002
2015505162.tif 000003
【図３】
2015505162.tif 000004
【図４】
2015505162.tif 000005
【図５】
2015505162.tif 000006
【図６】
2015505162.tif 000007
【図８】
2015505162.tif 000008
【手続補正書】
【提出日】平成26年8月12日(2014.8.12)
【手続補正１】
【補正対象書類名】明細書
【補正対象項目名】００１３
【補正方法】変更
【補正の内容】
【００１３】
【図１】開示されるＭＬＣＥＣを設けられた変更ＳＭ出力ファイバの概略図である。
【図２】ヒートシンクに取り付けられた開示されるＭＬＣＡの分解図である。
【手続補正２】
【補正対象書類名】明細書
【補正対象項目名】００１５
【補正方法】変更
【補正の内容】
【００１５】
典型的な利得ブロックは、単独であるかまたは同様に構成された利得ブロックと組み合わせてｋＷレベルに達する実質的にＳＭの出力ビームを放出するように動作する。出力ビームは次いで、伝送単一モード（「ＳＭ」）パッシブファイバによって目的地点に伝送される。パッシブファイバは、液体金属、すなわち低温溶融点を持つ金属、または液体金属およびそれらの合金の組み合わせから作られたクラッドモードアブソーバを設けられている。それ故に、アブソーバは、ファイバのクラッドに沿って誘導される不要なモードを捕捉して吸収するように動作する。
【手続補正３】
【補正対象書類名】明細書
【補正対象項目名】００１６
【補正方法】変更
【補正の内容】
【００１６】
２つの利得ブロック、すなわちＭＯＰＡの構成要素において、当業者に周知のようなＭＯＰＡは、主発振器ＭＯおよびパワー増幅器ＰＡを含む。アブソーバは、伝送ファイバに加えてまたは伝送ファイバの代わりに、ＭＯおよびＰＡを光学的に結合するパッシブファイバ上に提供されてもよい。ファイバは、例えば光信号の前方伝搬方向と反対の方向でＰＡに結合されるポンプからの吸収されないポンプ信号を受け取ってもよい。
【手続補正４】
【補正対象書類名】明細書
【補正対象項目名】００１７
【補正方法】変更
【補正の内容】
【００１７】
利得ブロック、例えばパワー増幅器ＰＡは、アクティブファイバ、すなわちイッテルビウム、エルビウム、ツリウムおよびその他などの、１つまたは複数の希土類元素のイオンをドープされたファイバ、ならびに単一ＳＭ入力および出力パッシブファイバをそれぞれ含む。アクティブファイバは、１つまたは複数のクラッドおよび多モードコアを備えて構成され、多モードコアは、もし望むならば、所望の波長での基本モードを実質的に支持するように構成される。ポンプユニットによって放出される、多モード（「ＭＭ」）ポンプ光は、導波路クラッドに結合され、それに沿って伝搬するにつれて、コアによって徐々に吸収される。すべてのポンプ光が、吸収されるとは限らず、そのいくらかは、クラッド中にとどまる。吸収されないポンプ光および他の異なる起源の不要なモードは、パッシブ出力ファイバのクラッドを通ってさらに誘導され、伝送ファイバのクラッドに沿ってさらに伝搬する。クラッド光の存在は、前に論じた様々な理由により極めて望ましくなく、最小限にされ、望ましくは完全に除去されるべきである。上記では単一モードシステムおよびファイバを論じるが、開示されるアブソーバは、多モードファイバと併せて使用されてもよいことに留意されたい。
【手続補正５】
【補正対象書類名】明細書
【補正対象項目名】００１８
【補正方法】変更
【補正の内容】
【００１８】
ファイバは、コアおよびクラッドの他に、クラッドの屈折率よりも低い屈折率を持つ高分子保護膜（はぎ取られる）をさらに備えて構成される。クラッド伝搬モードを吸収するための条件を創出するために、膜は、ファイバの所望の軸方向領域に沿ってはぎ取られて、液体ベースの金属および／またはその合金でできたアブソーバに浸されてもよいクラッドのある長さ（ｓｔｒｅｔｃｈ）を露出させる。金属は、高分子化合物と対照的に、優れた反射特性を有する。金属被覆物と石英との間の境界に沿って伝搬するクラッド光および特にそれらのモードは、金属被覆物に周期的に衝突する。金属に入射する光の大部分は、吸収され、残りは、その伝搬を続け、最終的に大きく低減されるまたは完全に除去される。金属アブソーバは、高い機械的応力、より高い温度に耐えることができ、吸収は、なお制限されるが、伝統的な高分子加工物でよりもよく分配される。全ファイバシステムの周知のパラメータおよび所望の位置に基づいてアブソーバの最適組成を選択することで、アブソーバおよびシステムの他の光学部品に損傷を与えることが周知のしきい温度よりも低い温度にその組成物を加熱することができる最大可能光パワーを持つクラッド光が、除去される。
【手続補正６】
【補正対象書類名】明細書
【補正対象項目名】００２１
【補正方法】変更
【補正の内容】
【００２１】
図１を参照すると、クラッド誘導ＭＭ光の高パワー密度を低減し、アブソーバ２０への熱負荷をいくらか緩和するために、好ましくは、パッシブファイバ２１は、二重ボトルネック形状の横断面を有してもよく、それはまた、ツインボトル（「ＴＢ」）ファイバとも呼ばれる。ＴＢの幾何学的形状は、本出願と同一出願人による、参照により本明細書に完全に組み込まれる同時係属の米国特許出願第１２／５５９，２８４号および米国特許出願第１２／６３０，５４５号で詳細に開示される。それ故に、ＴＢファイバ２１の構成は、間隔を空けられた比較的均一な小径端部領域２８、比較的均一な大径中央領域３４およびそれぞれの端部領域と中央領域との間の移行領域３２を含み、それらは、誘導光の断熱膨張を可能にする。前述の考察に基づいて、アブソーバ２０は好ましくは、しかし必ずしもではなく、パワー密度が比較的低い中央領域３４に沿って提供される。アブソーバ２０の直径は、高分子シースまたは膜３０の外径と同じまたはそれよりも大きくてもよい。ＴＢファイバ２１はさらに、アブソーバ２０から下流に位置する高分子化合物でできた別のアブソーバ３６を有してもよい。ファイバ２１の中央領域３４は、約３００ミクロンの直径を備えて構成されてもよい。
【手続補正７】
【補正対象書類名】明細書
【補正対象項目名】００２２
【補正方法】変更
【補正の内容】
【００２２】
図２を参照すると、高光パワーは、銅、銅とのウォルフラム合金ならびに良好な熱伝導率およびファイバ応力を防止する最小熱膨張を備えて構成される他のものなどの延性材料から作られたヒートシンクを必要とすることもある。好ましい筐体材料は、金属合金と反応しない。ヒートシンクは、締結具４２によって互いに取り外し可能に結合される第１の部分３８および第２の部分４０を含み、そのうちの１つだけが、図示され、ヒートシンクは、パッシブファイバ２１のある長さを包み込むように構成される。パッシブファイバ２１のその長さは、アブソーバ２０で充填されかつ部分３８に提供される溝４４の中に置かれる。溝４４内のファイバの長さの両端部は、シリコーンゲルなどの接着剤によって部分３８に結合される。接着剤はまた、その構造物を密封した状態にするために、アブソーバ２０および溝４４の中にまた位置してもよいファイバ２１に提供された任意の他のストリッパにも塗布される。ユニット全体を覆う筐体部分４０の過熱を防止し、ユニットの気密性をさらに改善さえするために、例えばＡｌから作られてもよい箔４６が、ファイバのその長さと部分４０との間に詰め込まれる。別法として、シリコーンゲル、ＵＶ接着剤またはエポキシ樹脂が、部分４０を使用することなくアブソーバ２０を完全に覆ってもよい。これらの材料は、柔軟であり、金属の熱膨張を効果的に補償する。
【手続補正８】
【補正対象書類名】明細書
【補正対象項目名】００２３
【補正方法】変更
【補正の内容】
【００２３】
８００Ｗに達するパワーについてさえ、アブソーバは、その構造的完全性を保つ。
【手続補正９】
【補正対象書類名】明細書
【補正対象項目名】００２６
【補正方法】変更
【補正の内容】
【００２６】
２０  アブソーバ
２１  パッシブファイバ
２４  クラッド
２８  端部領域
３０  高分子シースまたは膜
３２  移行領域
３４  中央領域
３６  アブソーバ
３８  ヒートシンクの第１の部分
４０  ヒートシンクの第２の部分、筐体部分
４２  締結具
４４  溝
４６  箔
【手続補正１０】
【補正対象書類名】図面
【補正対象項目名】図１
【補正方法】変更
【補正の内容】
【図１】
2015505162.tif 000009
【手続補正１１】
【補正対象書類名】図面
【補正対象項目名】図２
【補正方法】変更
【補正の内容】
【図２】
2015505162.tif 000010
【手続補正１２】
【補正対象書類名】図面
【補正対象項目名】図８
【補正方法】削除
【補正の内容】
【手続補正１３】
【補正対象書類名】図面
【補正対象項目名】図６
【補正方法】削除
【補正の内容】
【手続補正１４】
【補正対象書類名】図面
【補正対象項目名】図５
【補正方法】削除
【補正の内容】
【手続補正１５】
【補正対象書類名】図面
【補正対象項目名】図４
【補正方法】削除
【補正の内容】
【手続補正１６】
【補正対象書類名】図面
【補正対象項目名】図３
【補正方法】削除
【補正の内容】
【国際調査報告】
2015505162.tif 000011
2015505162.tif 000012